(57)【要約】【課題】高速連写機能を有するカメラにおいて、いたずらに撮影枚数を増やすことなく、かつ、狙いのシーンを確実に撮影可能とした連写モードを有するカメラを提供すること。【解決手段】複数のコマ数を連続的に撮影する連写モードを有するカメラにおいて、  連写する時間(設定連写時間)を連写時間設定部１４で予め設定しておく。連写撮影開始後からの時間を連写時間計測部１１で計測する。連写制御部１０は、この連写時間計測部１１で計測された時間が設定連写時間を経過したら、連写撮影を終了するように制御している。【選択図】図７
2006323078.tif 000002
【特許請求の範囲】
【請求項１】
複数のコマ数を連続的に撮影する連写モードを有するカメラにおいて、
連写する時間を予め設定する連写時間設定手段と、
連写撮影開始後から上記連写時間設定時間で設定した時間が経過したら、連写撮影を終了するように制御する連写制御手段と、
を具備することを特徴とする連写モードを有するカメラ。
【請求項２】
前記連写制御手段は、連写開始からの経過時間を計測する連写時間計測手段とを更に備え、
上記連写時間設定手段で設定した時間と上記連写時間計測時間の出力を比較して、連写撮影開始後から上記連写時間設定手段で設定した時間が経過している場合には、現在撮影中の次のコマ以降の撮影を行なわないように制御することを特徴とする請求項１記載の連写モードを有するカメラ。
【請求項３】
連写する速度を予め設定する連写速度設定手段と、
上記連写時間設定手段の出力と、上記連写速度設定手段の出力に基づいて、連写可能なコマ数を演算する連写コマ数演算手段と、を更に具備し、
上記連写コマ数演算手段で演算された連写可能なコマ数を表示部に表示することを特徴とする請求項１記載の連写モードを有するカメラ。
【請求項４】
前記表示部に表示される連写可能なコマ数は被写体の輝度に応じて異なるように表示されることを特徴とする請求項3記載の連写モードを有するカメラ。
【発明の詳細な説明】
【技術分野】
【０００１】
本発明は、シャッタボタンを操作している間だけ複数コマを連続撮影する連写モードを有するカメラに関する。
【背景技術】
【０００２】
最近のカメラは、シヤッタボタンの操作で1コマの撮影を行う単写モードと、シャッタボタンを操作している間だけ撮影動作を繰り返して複数コマを連続撮影する連写モードとを備えているものが多い。この連写モードにおける連写速度は、特に一眼レフレックスカメラにおいて高速化の傾向があり、まもなく1秒間に十数〜数十コマにも達することが予想される。
【０００３】
そのような超高速の連写モードで撮影をした場合には、撮影中にいったい何枚撮影したのかが判らなくなるため、いたずらに撮影枚数が増えてしまうという問題がある。デジタルカメラの場合には、カメラの撮影可能バッファや記録メディアが満杯になったり、フィルムカメラの場合には、フィルムエンドまで到達することが無意識のうちに起こってしまいがちである。
【０００４】
このような連写中に撮影枚数をいたずらに増加させない技術として、連写枚数や連写間隔を撮影者が任意に設定可能なカメラが知られている(例えば、特許文献1参照)。
【特許文献１】特開平８−３２９１２号公報
【発明の開示】
【発明が解決しようとする課題】
【０００５】
従来の連写モードを有するカメラには、以下のような問題点があった。それは、連写枚数を設定してもそれが撮影時間にして一体何秒になるかが不明なことである。このことは連写速度が高速になるほどそのことが顕著になっていた。
【０００６】
なぜならば、被写体輝度によって自動焦点(ＡＦ)の検出時間が変化するために、前もって設定枚数分の撮影時間が不明となり、撮影したいタイミング全体を連写撮影する場合には、一体何枚に設定すればいいのか事前に不明である。従って、余裕を見て余計に枚数を設定することになり、不必要な撮影枚数を増加させる事態を発生させていた。
【０００７】
一例を挙げると、オリンピックの１００m走の場合では、スタートからゴールまで連写する時間を１０秒＋αくらいに設定すれば全体が撮影できることになる。
【０００８】
本発明は、上記の点に鑑みてなされたもので、その目的は、高速連写機能を有するカメラにおいて、いたずらに撮影枚数を増やすことなく、かつ、狙いのシーンを確実に撮影可能とした連写モードを有するカメラを提供することにある。
【課題を解決するための手段】
【０００９】
請求項１記載の連写モードを有するカメラは、複数のコマ数を連続的に撮影する連写モードを有するカメラにおいて、連写する時間を予め設定する連写時間設定手段と、連写撮影開始後から上記連写時間設定時間で設定した時間が経過したら、連写撮影を終了するように制御する連写制御手段と、を具備することを特徴とする。
【００１０】
請求項２記載の連写モードを有するカメラは、請求項１記載の前記連写制御手段は、連写開始からの経過時間を計測する連写時間計測手段とを更に備え、上記連写時間設定手段で設定した時間と上記連写時間計測時間の出力を比較して、連写撮影開始後から上記連写時間設定手段で設定した時間が経過している場合には、現在撮影中の次のコマ以降の撮影を行なわないように制御することを特徴とする。
【００１１】
請求項３記載の連写モードを有するカメラは、請求項１記載のカメラに、連写する速度を予め設定する連写速度設定手段と、上記連写時間設定手段の出力と、上記連写速度設定手段の出力に基づいて、連写可能なコマ数を演算する連写コマ数演算手段と、を更に具備し、上記連写コマ数演算手段の結果を表示することを特徴とする。
【００１２】
請求項４記載の連写モードを有するカメラは、請求項3の表示部に表示される連写可能なコマ数は被写体の輝度に応じて異なるように表示されることを特徴とする。
【発明の効果】
【００１３】
本発明によれば、高速連写機能を有するカメラにおいて、いたずらに撮影枚数を増やすことなく、かつ、狙いのシーンを確実に撮影可能とした連写モードを有するカメラを提供できる。
【発明を実施するための最良の形態】
【００１４】
以下、図面を参照して、本発明の実施形態について説明する。
【００１５】
［第１実施形態］
図１は、本発明の第１実施形態に係るカメラの構成を示すために、該カメラ本体の一部を切断した場合に目視することができる内部構成を概略的に示した斜視図である。ここで、同図に示すように、本実施形態ではカメラ１として、一眼レフレックス方式のデジタルカメラ（以下、単にカメラと称する）を用いる。なお、本実施形態は一眼レフレックス方式のカメラに限らず適用することが出来るのは勿論である。また、フィルムを使用するカメラにも適用することができる。その場合には、撮影可能枚数がフィルムで決まってしまい、その枚数は最大で３０数枚とデジタルカメラに比べると少ないので、高速連写には不利であるものの、本発明の概念としては通用可能である。
【００１６】
以下、図１を参照して、本実施形態に係るカメラの構成について説明する。
【００１７】
まず、図１に示すように、カメラ１は、レンズ鏡筒１００とカメラ本体２００とから構成される。上記レンズ鏡筒１００内部には、複数の光学レンズから構成される撮影光学系１０２が配設されている。該撮影光学系１０２は、後述するレンズ駆動機構により光軸方向に移動自在に構成されており、被写体（不図示）からの光束をカメラ本体２００の内部方向に透過させる。
【００１８】
カメラ本体２００の前面側の略中央部には、撮影光学系１０２を透過した光束を当該カメラ本体２００の内部に導くための、所定の口径を有する露光用開口が形成されている。この露光用開口の周縁部には撮影光学系装着部２００ａが形成されている。この撮影光学系装着部２００ａを介して、上記レンズ鏡筒１００は、カメラ本体２００に着脱自在となっている。このため、カメラ本体２００には、撮影時の用途に応じた種々のレンズ鏡筒１００を装着できる。
【００１９】
さらに、カメラ本体２００の内部には、ファインダ装置２０２、シャッタ部２０８、撮像ユニット２１１、回路基板２００ｂなどの種々の構成部材が、それぞれ所定の位置に配設されている。
【００２０】
上記ファインダ装置２０２は、クイックリターンミラー（以下、メインミラーと称する）２０２ａと、フォーカシングスクリーン２０２ｂと、ペンタプリズム２０２ｃと、接眼レンズ２０２ｄとから構成されている。
【００２１】
上記メインミラー２０２ａは、光入射面がハーフミラーになっており、撮影光学系１０２の光軸上の位置（図１に示す位置  以下、ダウン位置と称する）と光軸から退避する位置（以下、アップ位置と称する）との間で移動自在に構成されている。通常状態において、メインミラー２０２ａは、撮影光学系１０２の光軸から所定の角度、例えば角度４５度を有して配置されるようになっている。このような構成により、カメラ１が通常状態にあるときには、撮影光学系１０２を透過した光束の一部がメインミラー２０２ａで反射され、一部がメインミラー２０２ａを透過するようになっている。ここで、メインミラー２０２ａの裏面には、サブミラー２０３が設置されており、メインミラー２０２ａを透過した光束は、後述するＡＦセンサユニットに入射する。
【００２２】
また、メインミラー２０２ａで反射された光束はフォーカシングスクリーン２０２ｂに結像される。フォーカシングスクリーン２０２ｂに結像された像は、ペンタプリズム２０２ｃにおいて反転されて正立像になる。ペンタプリズム２０２ｃにおいて形成された像は、接眼レンズ２０２ｄにおいて拡大される。このような構成により、ユーザが被写体の像を目視確認することが可能である。
【００２３】
一方、カメラ１が撮影動作状態にあるときには、メインミラー２０２ａは、撮影光学系１０２の光軸から退避する位置である、所定のアップ位置に移動される。このとき、撮影光学系１０２を透過した被写体（不図示）からの光束は、シャッタ部２０８を介して撮像ユニット２１１に入射する。シャッタ部２０８は、例えばフォーカルプレーン式のシャッタ機構などから構成されている。また、シャッタ部２０８は、後述するシャッタ制御回路によって開閉可能に構成される。該シャッタ部２０８の開閉時間が制御されることにより、シャッタ部２０８の後方に配設された撮像ユニット２１１の露光時間等が制御される。
【００２４】
また、撮像ユニット２１１は、撮像素子２１２、防塵フィルタ（防塵ガラスともいう）２１３、及び後述する圧電素子から構成されている。
【００２５】
上記撮像素子２１２は、光電変換面を形成する多数の光電変換素子（例えば、フォトダイオード）などから構成され、撮像素子２１２の光電変換面に入射した光束は電気信号に変換される。
【００２６】
また、上記防塵フィルタ２１３は、撮像素子２１２の前面側に配設されている。これにより、防塵フィルタ２１３によって、撮像素子２１２の光電変換面に塵埃が付着することを防止することが出来る。また、防塵フィルタ２１３は、後述する圧電素子によって振動可能に構成されており、防塵フィルタ２１３が振動されることにより、防塵フィルタ２１３に付着した塵埃が払い落とされる。なお、防塵フィルタ２１３は、例えばガラス等の透明部材で構成されている。
【００２７】
また、同図に示す回路基板２００ｂには、当該カメラ１の各種電気回路が実装されている。
【００２８】
以下、本実施形態に係るカメラ内部の回路構成を、詳細に説明する。図２は、本実施形態に係るカメラ内部の回路構成を詳細に示したブロック図である。なお、既出の構成要素については、そのときに付した参照符号と同様の参照符号を付した。
【００２９】
まず、上述したように、カメラ１は、レンズ鏡筒１００とカメラ本体２００とから構成されている。
【００３０】
ここで、レンズ鏡筒１００の各部の制御は、レンズ制御用マイクロコンピュータ（以下、Ｌｕｃｏｍと称する）１０１によって行われる。一方、カメラ本体２００の各部の制御はボディ制御用マイクロコンピュータ（以下、Ｂｕｃｏｍと称する）２０１によって行われる。ここで、カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００３１】
また、上述したように、レンズ鏡筒１００の内部には、撮影光学系１０２が配設されている。ここで、図２においては、撮影光学系１０２を構成する複数の光学レンズを１つの光学レンズで代表して図示している。この撮影光学系１０２は、レンズ駆動機構１０３内に存在する図示しないＤＣモータにより、その光軸方向に駆動される。
【００３２】
また、撮影光学系１０２の後方には絞り１０４が設けられている。この絞り１０４は、絞り駆動機構１０５内に存在する図示しないステッピングモータによって開閉駆動される。絞り１０４の開閉が制御されることによって、撮影光学系１０２を介してカメラ本体２００に入射する被写体からの光束の光量が制御される。
【００３３】
ここで、レンズ駆動機構１０３内のＤＣモータの制御及び絞り駆動機構１０５内のステッピングモータの制御は、Ｂｕｃｏｍ２０１の指令を受けたＬｕｃｏｍ１０１によって行われる。
【００３４】
また、カメラ本体２００の内部には、メインミラー２０２ａ、フォーカシングスクリーン２０２ｂ、ペンタプリズム２０２ｃ、接眼レンズ２０２ｄから構成されるファインダ装置が設けられている。カメラ１が通常状態にある場合には、上述したように、撮影光学系１０２を介して入射した被写体からの光束の一部がメインミラー２０２ａで反射される。これによって、フォーカシングスクリーン２０２ｂ、ペンタプリズム２０２ｃ、及び接眼レンズ２０２ｄを介して観察用の像が形成される。
【００３５】
ここで、ペンタプリズム２０２ｃの近傍には測光回路２０４が設けられており、ペンタプリズム２０２ｃを通過した光束の一部が測光回路２０４内の図示しない輝度センサに入射するようになっている。測光回路２０４では、輝度センサで検出された光束の光量に基づき周知の測光処理が行われる。測光回路２０４で処理された結果は、Ｂｕｃｏｍ２０１に送信される。Ｂｕｃｏｍ２０１では、測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて絞り１０４の駆動制御が行われる。
【００３６】
また、メインミラー２０２ａを透過してサブミラー２０３で反射された光束は自動焦点調節処理（ＡＦ処理）を行うためのＡＦセンサユニット２０５に導かれる。ＡＦセンサユニット２０５の内部には、例えば位相差方式のＡＦを行うためのＡＦセンサが設けられている。このＡＦセンサに入射した光束は電気信号に変換される。ＡＦセンサユニット２０５のＡＦセンサからの出力は、ＡＦセンサ駆動回路２０６を介してＢｕｃｏｍ２０１へ送信される。そして、Ｂｕｃｏｍ２０１において測距処理が行われ、撮影光学系１０２の焦点状態（位相差方式の場合にはデフォーカス量）が演算される。この結果は、Ｂｕｃｏｍ２０１からＬｕｃｏｍ１０１に送信される。Ｌｕｃｏｍ１０１では、Ｂｕｃｏｍ２０１から通知された焦点状態に基づいて撮影光学系１０２の駆動制御が行われる。
【００３７】
また、カメラ１が撮影動作状態にあるときには、メインミラー２０２ａが撮影光学系１０２の光軸から退避する所定のアップ位置に移動される。このようなメインミラー２０２ａの駆動は、ミラー駆動機構２０７によって行われる。また、ミラー駆動機構２０７の制御は、Ｂｕｃｏｍ２０１によって行われる。ここで、メインミラー２０２ａがアップ位置に移動された場合には、それに伴ってサブミラー２０３が折り畳まれるようになっている。
【００３８】
メインミラー２０２ａがアップ位置に移動されることによって、撮影光学系１０２を透過した被写体からの光束はシャッタ部２０８の方向に入射する。フォーカルプレーン式のシャッタ部２０８を構成する先幕と後幕とを駆動するためのばね力は、シャッタチャージ機構２０９によってチャージされる。また、先幕と後幕の駆動は、シャッタ制御回路２１０によって行われる。これらシャッタチャージ機構２０９及びシャッタ制御回路２１０は、Ｂｕｃｏｍ２０１によって制御される。
【００３９】
シャッタ部２０８を通過した光束は、シャッタ部２０８の後方に配置された撮像ユニット２１１内部の撮像素子２１２に入射する。なお、該撮像素子２１２は、上述したように、撮像素子２１２と撮影光学系１０２との間に配設された防塵フィルタ２１３によって保護されている。
【００４０】
ここで、上記圧電素子２１４は、上記防塵フィルタ２１３を所定の振動周波数で振動させるために、防塵フィルタ２１３の周縁部に取り付けられている。圧電素子２１４は、２つの電極を有しており、防塵フィルタ駆動回路２１５によって駆動される。また、防塵フィルタ２１３の制御は、Ｂｕｃｏｍ２０１によって行われる。防塵フィルタ駆動回路２１５によって圧電素子２１４を振動させることによって、防塵フィルタ２１３が振動する。これによって、防塵フィルタ２１３の表面に付着した塵埃が払い落とされる。
【００４１】
なお、上記撮像素子２１２と上記圧電素子２１４とは、防塵フィルタ２１３を一面とするケース内に一体的に収納されている。これにより、撮像素子２１２への塵埃の付着を確実に防止することができる。
【００４２】
また、上記撮像ユニット２１１の近傍には、温度測定回路２１６が設けられている。通常、温度はガラス製の物材の弾性係数に影響する。つまり、温度の変化は防塵フィルタ２１３の固有振動数を変化させる要因の１つとなるため、防塵フィルタ２１３を振動させる際には、常にその周辺温度が計測されるようにしている。
【００４３】
なお、温度測定回路２１６の温度測定ポイントは、上記防塵フィルタ２１３の振動面の極近傍に設定することが好ましい。このように、温度の変化を考慮しながら防塵フィルタ２１３の振動を制御することにより、常に最適な条件で防塵フィルタ２１３を振動させることが可能である。
【００４４】
上記撮像素子２１２で得られた電気信号（画像信号）は、所定タイミング毎に撮像インターフェイス回路２１７を介して読み出されてデジタル化される。撮像インターフェイス回路２１７でデジタル化されて得られた画像データは、画像処理コントローラ２１８を介してＳＤＲＡＭなどで構成されたバッファメモリ２１９に格納される。ここで、バッファメモリ２１９は、画像データなどのデータの一時保管用メモリであり、画像データに各種処理が施される際のワークエリアなどに利用される。
【００４５】
また、電子ビューファインダ（ＥＶＦ）表示が行われる時には、撮像インターフェイス回路２１７を介して読み出され、バッファメモリ２１９に格納された画像データが画像処理コントローラ２１８によって読み出される。画像処理コントローラ２１８によって読み出された画像データは、ＥＶＦ表示用のホワイトバランス補正などの画像処理が施された後、バッファメモリ２１９に格納される。その後、バッファメモリ２１９に格納された画像データは、１コマ単位で画像処理コントローラ２１８によって読み出されてビデオ信号に変換される。このビデオ信号は、表示用の所定のサイズにリサイズされた後、表示手段としての液晶モニタ２２２に表示される。なお、ＥＶＦ表示は、撮影動作前、即ちメインミラー２０２ａがアップ位置にある場合にのみ行われる。
【００４６】
また、撮影終了後には、撮像インターフェイス回路２１７を介して読み出され、バッファメモリ２１９に格納された画像データが画像処理コントローラ２１８によって読み出される。画像処理コントローラ２１８によって読み出された画像データは、ホワイトバランス補正や、階調補正、色補正などの周知の画像処理が施された後、バッファメモリ２１９に格納される。その後、バッファメモリ２１９に格納された画像データが画像処理コントローラ２１８によって読み出されてビデオ信号に変換され、表示用の所定のサイズにリサイズされた後、液晶モニタ２２２に出力表示される。ユーザは、液晶モニタ２２２に表示された画像により、撮影した画像を確認することができる。
【００４７】
また、画像記録時には、画像処理コントローラ２１８によって処理された画像データが、ＪＰＥＧ方式などの周知の圧縮方式によって圧縮される。ＪＰＥＧ圧縮によって得られたＪＰＥＧデータは、バッファメモリ２１９に格納された後、所定のヘッダ情報が付加されたＪＰＥＧファイルとしてＦｌａｓｈＲＯＭ２２０や記録メディア２２１に記録される。ここで、ＦｌａｓｈＲＯＭ２２０はカメラ１に内蔵のメモリを想定しており、記録メディア２２１はカメラ１の外部に装着されるものを想定している。記録メディア２２１としては、例えばカメラ１に着脱自在に構成されたメモリカードやハードディスクドライブなどが用いられる。
【００４８】
また、ＦｌａｓｈＲＯＭ２２０や記録メディア２２１に記録されたＪＰＥＧファイルから画像を再生する際には、ＦｌａｓｈＲＯＭ２２０や記録メディア２２１に記録されたＪＰＥＧデータが画像処理コントローラ２１８によって読み出されて伸長される。その後、この伸長データがビデオ信号に変換された後、表示用の所定のサイズにリサイズされ、液晶モニタ２２２に出力表示される。
【００４９】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。
【００５０】
更に、Ｂｕｃｏｍ２０１には、電源回路２２４を介して電源としての電池２２５が接続されている。電源回路２２４では、電池２２５の電圧が、当該カメラシステムの各部が必要とする電圧に変換され、当該カメラシステムの各部に供給される。
【００５１】
更に、Ｂｕｃｏｍ２０１には、当該カメラ１の動作状態を表示出力によってユーザに告知するための動作表示用ＬＣＤ２２６と、当該カメラ１の各種操作部材の操作状態を検出するためのカメラ操作スイッチ（ＳＷ）２２７とが接続されている。
【００５２】
以下、本実施形態に係るカメラの各種操作部材について説明する。図３乃至図６は、本実施形態に係るカメラの操作部材について説明するための、カメラ１の外観図である。なお、図３はカメラ１の上面図を示し、図４はカメラ１の正面図を示し、図５はカメラ１の側面図を示し、図６はカメラ１の背面図を示す。
【００５３】
まず、図３に示すように、カメラ１の上面には、パワースイッチレバー３０１と、レリーズボタン３０２と、モードダイヤル３０３と、サブダイヤル３０４と、ＩＳＯボタン３０５と、露出補正ボタン３０６と、ホワイトバランス（ＷＢ）ボタン３０７と、画質モードボタン３０８と、フラッシュモードボタン３０９と、ＬＩＧＨＴボタン３１０とが設けられている。
【００５４】
パワースイッチレバー３０１は、当該カメラ１の電源のオン／オフするための操作部材である。このパワースイッチレバー３０１が回動操作されることにより、当該カメラ１のメイン電源のオン／オフが切り換えられる。
【００５５】
レリーズボタン３０２は、撮影準備動作及び露光動作を実行させるためのボタンである。このレリーズボタンは、第１レリーズスイッチと第２レリーズスイッチの２段式のスイッチで構成されており、レリーズボタン３０２が半押し操作されることによって第１レリーズスイッチがＯＮされて測光処理や測距処理などの撮影準備動作が実行される。また、レリーズボタン３０２が全押し操作されることによって第２レリーズスイッチがＯＮされて露光動作が実行される。
【００５６】
モードダイヤル３０３は、撮影時の撮影モードを設定するための操作部材である。このモードダイヤル３０３が回転操作されることによって撮影時の撮影モードが設定される。図３の例では、例えばプログラムＡＥモード（Ｐ）、絞り優先ＡＥモード（Ａ）、シャッタ優先ＡＥモード（Ｓ）、マニュアルモード（Ｍ）、シーンモード（ＳＣＮ）の５つのモードが設定可能である。
【００５７】
プログラムＡＥモードは、カメラ１によって演算された露光条件（絞り値及びシャッタスピード）に従って露光動作が行われるモードである。絞り優先ＡＥモードは、ユーザによって設定された絞り値に応じてシャッタスピードが設定されて露光が行われるモードである。シャッタ優先ＡＥモードは、ユーザによって設定されたシャッタスピードに応じて絞り値が設定されて露光が行われるモードである。マニュアルモードは、ユーザによって設定された絞り値及びシャッタスピードで露光が行われるモードである。シーンモードは、種々の撮影シーンに適した条件で撮影が行われるモードである。なお、シーンモードにおいては、モードダイヤル３０３をＳＣＮに設定した状態で、所望のシーンをメニュー画面上で設定する必要がある。
【００５８】
サブダイヤル３０４は、他の操作部材が押された状態で操作される操作部材である。このサブダイヤル３０４が回転操作されることにより、現在ユーザによって押されている操作部材に係る機能の設定変更を行うことが可能である。ここで、サブダイヤル３０４を利用した設定が行われているときには、そのときのカメラ１の動作状態が動作表示用ＬＣＤ２２６に表示される。ユーザはこの表示を見ながら設定変更を行うことができる。
【００５９】
ＩＳＯボタン３０５は、露光動作時の撮像素子感度（フィルムのＩＳＯ感度に相当する）を設定するためのボタンである。このＩＳＯボタン３０５が押されている状態でダイヤル操作がなされることにより、露光動作時の撮像素子感度の設定変更がなされる。
【００６０】
露出補正ボタン３０６は、露光動作時の露光量を補正するための露出補正値を設定するためのボタンである。この露出補正ボタン３０６が押されている状態でダイヤル操作がなされることにより、露出補正値の値が設定変更される。露出補正値を設定することにより、例えばプログラムＡＥモードなどにおいてカメラ１により自動的に演算された露光量が適正でない場合などでも、これを補正して撮影を行うことができる。
【００６１】
ＷＢボタン３０７は、ホワイトバランスをどのように行うのかを設定するためのボタンである。このＷＢボタン３０７が押されている状態でダイヤル操作がなされることにより、ホワイトバランスの設定が、オートホワイトバランス又はプリセットホワイトバランスに変更される。
【００６２】
オートホワイトバランスでは、ホワイトバランス補正がカメラ１によって自動的に行われる。また、プリセット光源ホワイトバランスでは、晴天時の太陽光や、蛍光灯、電球などといった種々の光源に応じて予め設定された条件でホワイトバランス補正が行われる。
【００６３】
画質モードボタン３０８は、画像記録時の画質モード（画像サイズと圧縮率）を設定するためのボタンである。この画質モードボタン３０８が押されている状態でダイヤル操作がなされることにより画質モードが変更される。
【００６４】
フラッシュモードボタン３０９は、当該カメラ１に図示しない外部フラッシュ装置が装着されている場合に、外部フラッシュ装置の発光モードを設定するためのボタンである。このフラッシュモードボタン３０９が押されている状態でダイヤル操作がなされることにより、発光モードが、例えばオート発光モード、赤目軽減発光モード、スローシンクロモード、強制発光モードの順で変更される。
【００６５】
オート発光モードは、外部フラッシュ装置の発光量などの条件がカメラ１によって自動的に設定されるモードである。赤目軽減発光モードは、撮影に先立って赤目軽減用のプリ発光がなされるモードである。スローシンクロモードは、低速シャッタを併用してフラッシュ発光が行われるモードであり、夜景撮影などに有効なモードである。強制発光モードは、撮影時の条件によらずにフラッシュを発光させるモードである。
【００６６】
ＬＩＧＨＴボタン３１０は、動作表示用ＬＣＤ２２６のバックライトを点灯又は消灯するためのボタンである。
【００６７】
また、図４に示すように、カメラ１の正面には、ワンタッチホワイトバランス（ＷＢ）ボタン３１１が設けられている。このワンタッチＷＢボタン３１１は、オートホワイトバランスやプリセットホワイトバランスで対応できないホワイトバランス条件を登録するためのボタンである。
【００６８】
また、図５に示すように、カメラ１の側面には、オートブラケット（ＢＫＴ）ボタン３１２と、測光モードボタン３１３と、ＤＲＩＶＥモードボタン３１４と、フォーカスモードレバー３１５とが設けられている。
【００６９】
ＢＫＴボタン３１２は、ブラケット撮影時の撮影枚数や露出補正量、ホワイトバランスゲインを設定するためのボタンである。ブラケット撮影では、露光量やホワイトバランスゲインが異なる複数枚の画像が撮影される。ＢＫＴボタン３１２が押されている状態でダイヤル操作がなされることにより、撮影枚数や露出補正量、ホワイトバランスゲインが変更される。
【００７０】
測光モードボタン３１３は、測光処理時の測光モードを設定するためのボタンである。この測光モードボタン３１３が押されている状態でダイヤル操作がなされることにより、測光モードが、例えばスポット測光モード、中央部重点平均測光モード、評価測光モードの順で変更される。
【００７１】
スポット測光モードは、画面内の極狭い範囲内の光量に基づいて測光処理が行われるモードである。また、中央部重点平均測光モードは、画面内の中央部について重点的に測光処理が行われるモードである。更に、評価測光モードは、画面内が複数の領域に分割されて測光処理され、分割領域毎に得られた結果が評価されることにより最終的な測光結果が得られるモードである。
【００７２】
ＤＲＩＶＥモードボタン３１４は、カメラ１の動作モードを設定するためのボタンである。このＤＲＩＶＥモードボタン３１４が押されている状態でダイヤル操作がなされることにより、動作モードが、例えば単写モード、連写（連続撮影）モード、セルフモード、リモコンモードの順で変更される。
【００７３】
単写モードは、ユーザによるレリーズボタン３０２の全押操作に応答して１コマの画像の撮影が行われるモードである。また、連写モードは、ユーザがレリーズボタン３０２を全押操作している間、撮影動作が繰り返され、これによって複数コマの画像の撮影が行われるモードである。セルフモードは、レリーズボタン３０２の全押操作後、所定時間後に露光動作が行われる、所謂セルフタイマ撮影が行われるモードである。また、リモコンモードは、カメラ１を図示しないリモートコントローラによって操作可能にするためのモードである。
【００７４】
フォーカスモードレバー３１５は、撮影時のＡＦモードを設定するための操作部材である。このフォーカスモードレバー３１５が切り替えられることにより、ＡＦモードが、例えばシングルＡＦモード、コンティニュアスＡＦモード、パワーフォーカス（ＰＦ）モードの順で変更される。
【００７５】
シングルＡＦモードは、一旦、撮影光学系１０２の焦点制御が行われた後は、レリーズボタン３０２の半押しが解除されるまで撮影光学系１０２の焦点状態が固定されるモードである。コンティニュアスＡＦモードは、被写体の動きに追従して撮影光学系１０２の焦点制御が行われるモードである。ＰＦモードは、ユーザが手動で撮影光学系１０２の焦点調節を行うことができるモードである。
【００７６】
また、図６に示すように、カメラ１の背面には、メインダイヤル３１６と、ＡＦフレームボタン３１７と、ＡＥロックボタン３１８と、再生モードボタン３１９と、消去ボタン３２０と、プロテクトボタン３２１と、情報表示ボタン３２２と、メニューボタン３２３と、十字ボタン３２４と、ＯＫボタン３２５とが設けられている。
【００７７】
メインダイヤル３１６は、サブダイヤル３０４と同一の機能を有する操作部材であり、このメインダイヤル３１６が回転操作されることにより、現在ユーザによって押されている操作部材に係る機能の設定変更を行うことが可能である。
【００７８】
ＡＦフレームボタン３１７は、撮影時のＡＦ方式を選択するためのボタンである。このＡＦフレームボタン３１７が押されている状態でダイヤル操作がなされることにより、ＡＦ方式が、例えばマルチＡＦ又はスポットＡＦに変更される。
【００７９】
マルチＡＦでは、画面内の複数測距点の焦点状態が検出される。一方、スポットＡＦでは、画面内の一点（複数候補の中から選択できる）の焦点状態が検出される。
【００８０】
ＡＥロックボタン３１８は、露光条件を固定するためのボタンである。このＡＥロックボタン３１８が押されている間は、そのとき演算されている露光量が固定される。
【００８１】
再生モードボタン３１９は、カメラ１の動作モードを、ＦｌａｓｈＲＯＭ２２０や記録メディア２２１に記録されたＪＰＥＧファイルから画像を再生できる再生モードに切り替えるためのボタンである。
【００８２】
消去ボタン３２０は、再生モード中において画像データ（ＪＰＥＧファイル）をＦｌａｓｈＲＯＭ２２０や記録メディア２２１から消去するためのボタンである。
【００８３】
プロテクトボタン３２１は、再生モード中において、誤って画像データが消去されないように、画像データにプロテクトをかけるためのボタンである。
【００８４】
情報表示ボタン３２２は、画像データの付加情報（例えば、Ｅｘｉｆ情報）に基づく画像情報を表示させるためのボタンである。
【００８５】
メニューボタン３２３は、液晶モニタ２２２にメニュー画面を表示させるためのボタンである。このメニュー画面は、複数の階層構造からなるメニュー項目によって構成されている。ユーザは、所望のメニュー項目を十字ボタン３２４で選択することができ、ＯＫボタン３２５で選択した項目を決定することができる。ここで、メニュー項目としては、例えばＦｌａｓｈＲＯＭ２２０や記録メディア２２１のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類さらに後で説明する連写条件などのカメラの動作状態を設定するセットアップメニューなどがある。
【００８６】
例えば、シーンモードの設定時には、モードダイヤル３０３がシーンモード（ＳＣＮ）に設定されている状態で、メニュー画面上で所望のシーンを選択することができる。このシーンの例としては、ポートレート、スポーツ、記念撮影、風景、夜景などがある。これら選択されたシーンに応じて露光条件、フラッシュ発光の条件、測光モード、ＡＦ方式、連写間隔などの撮影時の撮影条件が設定される。
【００８７】
以下、本実施形態に係るカメラにおける制御の流れの概念を説明する。
【００８８】
図７は、本実施形態に係るカメラにおける制御の流れを説明するブロック図である。図
７において、１０はＢｕｃｏｍ２０１内に設けられた連写時のカメラの撮影動作シーケンスを司る連写制御部(連写制御手段)１０である。この連写制御部１０内には、連写撮影開始からの経過時間を計測するタイマーである連写時間計測部(連写時間計測手段)１１、この連写時間計測部１１の結果に基づいて連写撮影シーケンスを停止させるか否かを判定する連写停止判定部１２が設けられている。
【００８９】
連写停止判定部１２は、連写時間設定部(連写時間設定手段)１４の設定時間と連写時間計測部１１の結果とを比較し、連写時間が設定連写時間を既に経過していると判断した場合には、連写撮影シーケンスを停止するように動作する。
【００９０】
連写条件設定部１３は、既に説明したメニューボタン３２３を押して液晶モニタ２２２に表示される複数の階層構造からなるメニュー項目の１項目である「連写」の項目を設定することによって、連写の条件を設定する。
【００９１】
連写条件設定部１３は、連写時間設定部１４と連写速度設定部(連写速度設定手段)１５と連写コマ数演算部(連写コマ数演算手段)１６とを含む。この連写時間設定部１４は連写する時間を設定可能であり、その設定内容が連写停止判定部１２に入力される。連写速度設定部１５は連写速度を設定可能である。連写コマ数演算部１６は、連写時間設定部１４と連写速度設定部１５の出力に基づいて、連写中のおよその撮影コマ数を演算する。なお、連写条件設定部１３のメニューについては後述する。
【００９２】
次に、図８のタイミングチャートを参照して本実施形態に係るカメラにおける制御の流れを説明する。
【００９３】
まず、レリーズボタン３０２を半押しして第１レリーズスイッチをオンすると、測光回路２０４による測光動作及びＡＦセンサユニット２０５によって測距動作が行われ、撮影光学系１０２の合焦動作が行われる。フォーカスモードレバー３１５によってコンティニュアスＡＦモードが選択されている場合には、これらの測光動作と合焦動作が第２レリーズスイッチがオンされるまで連続して行われる。
【００９４】
そして、レリーズボタン３０２を全押しして第２レリーズスイッチをオンすると、撮影動作が開始される。図中では連写撮影シーケンスと記しているが、このシーケンスはメインミラー２０２ａのアップダウン動作、絞り１０４の開閉動作、シャッタ部２０８の走行動作、撮像素子２１２の撮像動作、画像処理コントローラ２１８による画像処理動作、バッファメモリ２１９への格納動作である。
【００９５】
また、連写撮影シーケンスの開始と同時に連写時間計測部１１による連写時間の計測が開始され、各連写撮影シーケンスの終了時に連写停止判定部１２によって連写撮影シーケンスを停止させるか否かが判断され、連写撮影シーケンスを停止させると判断された場合には、次のコマの撮影を行わない。
【００９６】
すなわち、連写時間設定部１４で設定された連写時間が経過すると、たとえ第２レリーズスイッチがオンしていても連写撮影シーケンスが停止される。
【００９７】
次に、図９のフローチャートを参照して本実施形態に係るカメラにおける制御の流れを説明する。
【００９８】
まず、レリーズボタン３０２を半押しして第１レリーズスイッチのオン操作で図８の撮影動作へ処理が移行する。
【００９９】
測光回路２０４において測光が行われ、シャッタ部２０８の開口時間や絞り１０４の絞り値が演算される(ステップＳ１)。次に、ＡＦセンサユニット２０５が駆動されて撮影光学系１０２のデフォーカス量が演算され、複数の焦点検出領域の中のどの領域を選択するかが所定のアルゴリズムに従って選択される。Ｌｕｃｏｍ１０１はＢｕｃｏｍ２０１から送信されたデフォーカス量に基づいて、レンズ駆動機構１０３によって撮影光学系１０２を合焦位置まで駆動して、合焦状態を得る(ステップＳ２)。
【０１００】
そして、第２レリーズスイッチがオンされているかが判断される(ステップＳ３)。こステップＳ３の判定でオンされると判定されれば、ステップＳ５に移行して露光制御等が行われる。一方、ステップＳ３の判定で、まだオフされていると判定されるとステップＳ４に移行する。
【０１０１】
このステップＳ４において、第１レリーズスイッチがまだオンされているかが判断される。このステップＳ４において、第１レリーズスイッチがオンされていると判定されるとステップＳ１に戻って測光と合焦の制御連続的に行われる（コンティニュアスＡＦモードの処理）。一方、このステップＳ４の判定で、オフされていると判定されるとレリーズボタン３０２が離されたので撮影動作シーケンスをリターンする。
【０１０２】
次に、ＤＲＩＶＥモードボタン３１４によって連写モードが選択されているかが判断される(ステップＳ５)。このステップＳ５において、連写モードが選択されていると判断されるとステップＳ６に移行し、選択されていなければＳ８に移行する。
【０１０３】
連写モードが選択されている場合には、連写時間設定部１４で前もって設定されている設定連写時間が読み出される(ステップＳ６)。連写撮影シーケンスの開始と同時に連写時間計測部１１による連写時間の計測が開始される(ステップＳ７)。これは、Ｂｕｃｏｍ２０１に内蔵のタイマー機能を使用して計測する。
【０１０４】
次に、メインミラー２０２ａがアップ位置まで駆動される(ステップＳ８)。絞り１０４がステップＳ１で演算した絞り位置まで駆動される(ステップＳ９)。
【０１０５】
そして、撮像素子２１２の駆動が開始され撮像が開始される(ステップＳ１０)。次に、シャッタ部２０８がステップＳ１で演算された開口時間だけ開口される(ステップＳ１１)。
【０１０６】
そして、シャッタ部２０８が閉口すると撮像素子２１２の駆動が停止され、撮像インターフェイス回路２１７で画素データの読み出しが行われる(ステップＳ１２)。
【０１０７】
次に、ステップＳ１２で読み出された画素データは画像処理コントローラ２１８において画像処理される(ステップＳ１３)。このステップＳ１３で画像処理された画像データはバッファメモリ２１９に一時的に格納される。なお、連写中ではより多くの連写可能駒数をかせぐために、順次記録メディア２２１へ画像データを記録を開始してもよい。
【０１０８】
そして、絞り１０４が開放位置まで戻される(ステップＳ１５)。さらに、メインミラー２０２ａが初期位置であるダウン位置まで駆動される(ステップＳ１６)。
【０１０９】
次に、ＤＲＩＶＥモードボタン３１４によって連写モードが選択されているかが判断される(ステップＳ１７)。このステップＳ１７において、連写モードが選択されていると判断されるとステップＳ２１に移行し、選択されていないと判断されるとステップＳ１８に移行する。
【０１１０】
このステップＳ１８において、単写モード時の画像ファイルが生成される。つまり、ステップＳ１４に格納されている画像データは記録メディア２２１へ書き込む形態に生成される。
【０１１１】
そして、ステップＳ１８及び後述するステップＳ２３で生成した画像データは記録メディア２２１へ記録される(ステップＳ１９)。
【０１１２】
次に、第１レリーズスイッチがまだオンされているかが判断される(ステップＳ２０)。このステップＳ２０の判定において、第１レリーズスイッチがまだオンされていると判断されると、ステップＳ１に戻って撮影動作が継続される。一方、第１レリーズスイッチがオフされていると判断されると、撮影後にレリーズボタン３０２が離されたので、撮影動作シーケンスをリターンする。
【０１１３】
ところで、ステップＳ１７の判断で、連写モードが選択されていると判断されると、連写中なので第２レリーズスイッチがまだオンされているかが判断される(ステップＳ２１)。
【０１１４】
このステップＳ２１の判定で、第２レリーズスイッチがまだオンされていると判断されると連写撮影シーケンスが継続され(ステップＳ２４)、第２レリーズスイッチがオフされたと判断されればステップＳ２２に移行する。
【０１１５】
このステップＳ２２において、ステップＳ７で計測開始された連写時間計測用のタイマーが停止され、連写時間計測が終了される。
【０１１６】
そして、連写モード時の画像ファイルが生成される(ステップＳ２３)。つまり、ステップＳ１４で格納されている画像データが記録メディア２２１へ書き込む形態に生成される。そして、ステップＳ１９に移行する。
【０１１７】
ところで、ステップＳ２４において、ステップＳ６で読み出した設定連写時間と、ステップＳ７で計測開始したタイマーの結果を読み出し、ステップＳ７で計測開始してからここまでの連写時間とを比較して、連写開始からここまでで既に設定連写時間が継続したかが判断される。このステップＳ２４の判断で、既に設定連写時間が経過していれば次のコマの撮影は行わないのでＳ２２に移行して連写を停止し、まだ設定連写時間が経過していなければ次のコマの撮影を行うのでステップＳ２５に移行する。
【０１１８】
このステップＳ２５において、連写撮影シーケンス中の測光処理が行われる。そして、連写撮影シーケンス中の合焦処理が行われる(ステップＳ２６)。この処理はステップＳ２の処理と同じである。その後、ステップＳ８に戻って連写撮影シーケンスが継続される。
【０１１９】
次に、図１０を参照して連写条件設定部１３の具体的な設定の一例について説明する。さらに、具体的には、連写時間設定部１４、連写速度設定部１５、連写コマ数演算部１６の例を説明する図である。
【０１２０】
まず、ユーザはメニューボタン３２３を押してメニュー設定画面を液晶モニタ２２２に表示させ、十字ボタン３２４の上下ボタンや右ボタンを操作して、連写条件を設定する項目を選択する。
【０１２１】
第１メニュー階層の「連写」にカーソルを合わせて十字ボタン３２４の右ボタンを操作すると、第２メニュー階層に移行する。
【０１２２】
第２メニュー階層では「連写時間」と「連写速度」の２項目が選択可能であり、それぞれ設定したい項目にカーソルを合わせて十字ボタン３２４の右ボタンを操作すると、第３メニュー階層に移行する。
【０１２３】
第３メニュー階層では「連写時間」と「連写速度」の２項目について設定値を設定できる。第２メニュー階層で「連写時間」を選択すると第３メニュー階層ではこの設定値が設定でき、十字ボタン３２４の上下ボタンを操作して設定したい時間を秒単位で設定する。
【０１２４】
もちろん、ここでは連写時間無限の設定（レリーズボタン３１７の第２レリーズボタンが押されている間はずっと撮影）も可能である。
【０１２５】
その後、「連写速度」も設定したい場合には、十字ボタン３２４の左ボタンを操作して第２メニュー階層に戻り、そこで「連写速度」を選択して第３階層に戻る。第３階層ではいくつかの「連写速度」が予め決められており、十字ボタン３２４の上下ボタンを操作して設定したい速度をフレーム／秒単位で設定する。
【０１２６】
以上の設定項目の設定終了後にＯＫボタン３２５を操作すると、液晶モニタ２２２の表示が切り替わって、設定した「連写時間」と「連写速度」に対応して連写中に撮影するであろう「連写撮影可能コマ数」の目安が表示される。
【０１２７】
前述したように、被写体の輝度によってＡＦセンサユニット２０５中のＡＦセンサの電荷蓄積時間が大きく異なるために、図９のステップＳ２６の測距時間が低輝度ほど長くなり、高輝度下では数十ｍｓ以内に終了する測距時間が、低輝度下ではその十倍ほど時間が掛かってしまう。よって、「連写時間」と「連写速度」の設定だけでは連写撮影可能コマ数は確定せず、あくまでも目安の連写撮影可能コマ数の表示となる。
【０１２８】
この連写撮影可能コマ数の演算は、連写コマ数演算部１６の中で演算され、Ｂｕｃｏｍ２０１での演算で実行される。高輝度の場合には測距時間が短く、「連写速度」で設定した速度が達成可能であるので、連写撮影可能コマ数が確実性の高い値が容易に演算できる。図９のステップＳ８〜ステップＳ１６及びＳ２５の処理は輝度によらずほぼ一定であるので、ステップＳ２６の所要時間によって連写撮影可能コマ数が容易に演算できる。
【０１２９】
しかし、低輝度の場合には測距時間が長く、「連写速度」で設定した速度は達成不能であり、ここでは撮影時の輝度を仮決めして連写撮影可能コマ数を求める。具体的には、ＡＦセンサの電荷蓄積時間を例えば１００ｍｓとして連写撮影可能コマ数を求める。
【０１３０】
一例として、高輝度時は１００コマ、低輝度時は３０コマというように、連写撮影可能コマ数の目安が表示される。この表示は、メニューボタン３２３をもう一度操作すると消去される。
【０１３１】
なお、本発明は上記した実施の形態に限定されるものではなく、本発明の要旨の範囲内で種々の変形及び応用が可能であることは勿論である。
【０１３２】
さらに、上述した実施形態には種々の段階の発明が含まれており、開示される複数の構成要件の適当な組み合わせにより種々の発明が抽出され得る。例えば、実施形態に示される全構成要件からいくつかの構成要件を削除した場合であっても、発明が解決しようとする課題の欄で述べた課題が解決でき、発明の効果の欄で述べた効果を得ることができる場合には、当該構成要件が削除された構成も発明として抽出され得る。
【図面の簡単な説明】
【０１３３】
【図１】本発明の第１実施形態に係るカメラの構成を示すために、該デジタルカメラ本体の一部を切断した場合に目視することができる内部構成を概略的に示した斜視図。
【図２】本発明の第１実施形態に係るカメラ内部の回路構成を詳細に示したブロック図。
【図３】本発明の第１実施形態に係るカメラの上面図。
【図４】本発明の第１実施形態に係るカメラの正面図。
【図５】本発明の第１実施形態に係るカメラの側面図。
【図６】本発明の第１実施形態に係るカメラの背面図。
【図７】本発明の第１実施形態に係るカメラの制御を説明するためのブロック図。
【図８】本発明の第１実施形態に係るカメラにおける制御の流れを説明するためのタイミングチャート。
【図９】撮像動作の処理について示すフローチャート。
【図１０】連写条件設定部の具体的な設定例を説明するための図。
【符号の説明】
【０１３４】
１…カメラ、１０…連写制御部、１１…連写時間計測部、１２…連写停止判定部、１３…連写条件設定部、１４…連写時間設定部、１５…連写速度設定部、１６…連写コマ数演算部、１００…レンズ鏡筒、  １０１…レンズ制御用マイクロコンピュータ、  １０１ａ…通信コネクタ、  １０２…撮影光学系、  １０３…レンズ駆動機構、  １０５…絞り駆動機構、  ２００…カメラ本体、  ２００ａ…撮影光学系装着部、  ２００ｂ…回路基板、  ２０１…ボディ制御用マイクロコンピュータ、  ２０２…ファインダ装置、  ２０２ａ…メインミラー、  ２０２ｂ…フォーカシングスクリーン、  ２０２ｃ…ペンタプリズム、  ２０２ｄ…接眼レンズ、  ２０３…サブミラー、  ２０４…測光回路、  ２０５…ＡＦセンサユニット、  ２０６…ＡＦセンサ駆動回路、  ２０７…ミラー駆動機構、  ２０８…シャッタ部、  ２０９…シャッタチャージ機構、  ２１０…シャッタ制御回路、  ２１１…撮像ユニット、  ２１２…撮像素子、  ２１３…防塵フィルタ、  ２１４…圧電素子、  ２１５…防塵フィルタ駆動回路、  ２１６…温度測定回路、  ２１７…撮像インターフェイス回路、  ２１８…画像処理コントローラ、  ２１９…バッファメモリ、  ２２０…ＲＯＭ、  ２２１…記録メディア、  ２２２…液晶モニタ、  ２２３…不揮発性メモリ、  ２２４…電源回路、  ２２５…電池、  ２２６…動作表示用ＬＣＤ、  ２２７…カメラ操作スイッチ、  ３０１…パワースイッチレバー、  ３０２…レリーズボタン、  ３０３…モードダイヤル、  ３０４…サブダイヤル、  ３０５…ＩＳＯボタン、  ３０６…露出補正ボタン、  ３０７…ホワイトバランスボタン、  ３０８…画質モードボタン、  ３０９…フラッシュモードボタン、  ３１０…ＬＩＧＨＴボタン、  ３１１…ワンタッチホワイトバランスボタン、  ３１２…オートブラケットボタン、  ３１３…測光モードボタン、  ３１４…ＤＲＩＶＥモードボタン、  ３１５…フォーカスモードレバー、  ３１６…メインダイヤル、  ３１７…ＡＦフレームボタン、  ３１８…ＡＥロックボタン、  ３１９…再生モードボタン、  ３２０…消去ボタン、  ３２１…プロテクトボタン、  ３２２…情報表示ボタン、  ３２３…メニューボタン、  ３２４…十字ボタン、  ３２５…ＯＫボタン。
【図１】
2006323078.tif 000003
【図２】
2006323078.tif 000004
【図３】
2006323078.tif 000005
【図４】
2006323078.tif 000006
【図５】
2006323078.tif 000007
【図６】
2006323078.tif 000008
【図７】
2006323078.tif 000009
【図８】
2006323078.tif 000010
【図９】
2006323078.tif 000011
【図１０】
2006323078.tif 000012